(57)【要約】【課題】本発明は、印刷回路基板の大きさを小さくすることができるデータ駆動集積回路装置を提供し、また、製造費用を減らすことができるデータ駆動集積回路装置を含む液晶表示装置を提供する。【解決手段】データ駆動集積回路装置は、タイミング制御部５００から伝えられる差動ガンマデータを入力に受けてデコーディングして出力するガンマデコーディング部、前記デコーディングされた差動ガンマデータをアナログ電圧値に変換するデジタル／アナログ変換部、及び前記アナログ電圧値を増幅して出力するバッファー部を含む。【選択図】図１
2007156419.tif 000002
【特許請求の範囲】
【請求項１】
タイミング制御部から伝えられる差動ガンマデータを入力に受けてデコーディングして出力するガンマデコーディング部と、
前記デコーディングされた差動ガンマデータをアナログ電圧値に変換するデジタル／アナログ変換部と、
前記アナログ電圧値を増幅して出力するバッファー部と、を含むことを特徴とするデータ駆動集積回路装置。
【請求項２】
前記ガンマデコーディング部は、前記差動ガンマデータと基準電圧とを入力に受けて比較器を介して最終入力された順序通りに差動ガンマデータを出力することを特徴とする請求項２に記載のデータ駆動集積回路装置。
【請求項３】
前記基準電圧は、駆動電圧の１／２に設定されることを特徴とする請求項２に記載のデータ駆動集積回路装置。
【請求項４】
前記基準電圧は、抵抗素子で具現されることを特徴とする請求項２に記載のデータ駆動集積回路装置。
【請求項５】
前記差動ガンマデータは、正極性ガンマデータと負極性ガンマデータとを含むことを特徴とする請求項１に記載のデータ駆動集積回路装置。
【請求項６】
複数の薄膜トランジスタ、それぞれの前記薄膜トランジスタのゲート電極に連結される複数のゲート線、及びそれぞれの前記薄膜トランジスタのソース電極に連結される複数のデータ線を含む液晶パネルと、
ゲート駆動部及びデータ駆動集積回路装置を駆動するための信号を生成して、前記データ駆動集積回路装置に差動ガンマデータを提供するタイミング制御部と、
前記タイミング制御部から伝えられる差動ガンマデータをアナログ電圧値に変換して前記液晶パネルのデータ線に印加するデータ駆動集積回路装置と、を含むことを特徴とする液晶表示装置。
【請求項７】
前記データ駆動集積回路装置は、前記タイミング制御部から伝えられる差動ガンマデータを入力に受けてデコーディングして出力するガンマデコーディング部と、
前記デコーディングされた差動ガンマデータをアナログ電圧値に変換するデジタル／アナログ変換部と、
前記アナログ電圧値を増幅して出力するバッファー部と、を含むことを特徴とする請求項６に記載の液晶表示装置。
【請求項８】
前記ガンマデコーディング部は、前記差動ガンマデータと基準電圧とを入力に受けて比較器を介して最終入力された順序通りに差動ガンマデータを出力することを特徴とする請求項７に記載の液晶表示装置。
【請求項９】
前記基準電圧は、駆動電圧の１／２に設定されることを特徴とする請求項８に記載の液晶表示装置。
【請求項１０】
前記基準電圧は、抵抗素子に具現されることを特徴とする請求項８に記載の液晶表示装置。
【請求項１１】
前記差動ガンマデータは、前記タイミング制御部内のメモリーに保存されることを特徴とする請求項６に記載の液晶表示装置。
【請求項１２】
前記差動ガンマデータは、前記タイミング制御部と別途に備えられたメモリーに保存されることを特徴とする請求項６に記載の液晶表示装置。
【請求項１３】
前記メモリーは、ＥＥＰＲＯＭであることを特徴とする請求項１２に記載の液晶表示装置。
【請求項１４】
前記差動ガンマデータは、ＬＶＤＳ方式によりデータ駆動集積回路装置に伝送することを特徴とする請求項６に記載の液晶表示装置。
【請求項１５】
前記差動ガンマデータは、ＲＳＤＳ方式によりデータ駆動集積回路装置に伝送することを特徴とする請求項６に記載の液晶表示装置。
【請求項１６】
前記差動ガンマデータは、対称的なパターンまたは非対称的なパターンで伝送することを特徴とする請求項６に記載の液晶表示装置。
【請求項１７】
前記対称的なパターンは、正極性及び負極性ガンマデータが同時に伝送されることを特徴とする請求項１６に記載の液晶表示装置。
【請求項１８】
前記非対称的なパターンは、正極性または負極性ガンマデータが単独で伝送され、または正極性及び負極性ガンマデータが同時に伝送されることを特徴とする請求項１６に記載の液晶表示装置。
【発明の詳細な説明】
【技術分野】
【０００１】
本発明は、データ駆動集積回路装置とこれを含む液晶表示装置に係り、さらに詳細には、製造費用を減らすことができるデータ駆動集積回路装置とこれを含む液晶表示装置に関する。
【背景技術】
【０００２】
コンピュータのモニターやＴＶ等に使われる表示装置（ｄｉｓｐｌａｙ  ｄｅｖｉｃｅ）には、自ら発光する陰極線管（ｃａｔｈｏｄｅ―ｒａｙ  ｔｕｂｅ：ＣＲＴ）、電界発光素子（ｆｉｅｌｄ  ｅｍｉｓｓｉｏｎ  ｄｅｖｉｃｅ：ＦＥＤ）等と、自ら発光することができなくて光源を必要とする液晶表示装置（ｌｉｑｕｉｄ  ｃｒｙｓｔａｌ  ｄｉｓｐｌａｙ：ＬＣＤ）等がある。
【０００３】
一般的に、液晶表示装置は、結晶（Ｃｒｙｓｔａｌ）と液体（Ｌｉｑｕｉｄ）の中間的な物性を有する液晶（Ｌｉｑｕｉｄ  Ｃｒｙｓｔａｌ）の電気光学的特性を利用して画像、文字、動映像を表示する表示装置である。
【０００４】
従来の液晶表示装置は液晶パネル、ゲート駆動部、データ駆動部、駆動電圧生成部、タイミング制御部、及び階調電圧発生部を含み、液晶パネルにデータ駆動部及びゲート駆動部から信号が印加される。
【０００５】
ここで、階調電圧発生部は、データ駆動部に入る階調電圧を生成する。また、上下画素間の充電量の差を防止するために、充電低下が発生するラインに対して本来階調データによって印加されなければならない階調電圧の補償を遂行し、データ駆動部は充電低下が発生したラインに補償した階調電圧を供給する。
【０００６】
従来の液晶表示装置の階調電圧発生部は、正の階調電圧と負の階調電圧とを生成するために正の階調電圧生成部と負の階調電圧生成部とを含み、正の階調電圧生成部及び負の階調電圧生成部に電圧を増幅させて提供する電圧増幅部を含んでいる。
【０００７】
しかし、正の階調電圧生成部及び負の階調電圧生成部は、直列に連結された複数の抵抗を有していて、抵抗偏差によって階調電圧に変動が発生し得る。さらに、電圧増幅部は、ＯＰアンプ（ｏｐ―ａｍｐ）で構成されているために、印刷回路基板を製作するとき、印刷回路基板の大きさが大きくなりうる。
【特許文献１】大韓民国公開特許１０―１９９７―００７６４６８
【発明の開示】
【発明が解決しようとする課題】
【０００８】
本発明が解決しようとする技術的課題は、印刷回路基板の大きさを小さくすることができるデータ駆動集積回路装置を提供することにある。
【０００９】
本発明が解決しようとする他の技術的課題は、製造費用を減らすことができるデータ駆動集積回路装置を含む液晶表示装置を提供することにある。
【課題を解決するための手段】
【００１０】
前記技術的課題を達成するための本発明のデータ駆動集積回路装置は、タイミング制御部から伝えられる差動ガンマデータを入力に受けてデコーディングして出力するガンマデコーディング部、前記デコーディングされた差動ガンマデータをアナログ電圧値に変換するデジタル／アナログ変換部、及び前記アナログ電圧値を増幅して出力するバッファー部を含む。
【００１１】
また、本発明のデータ駆動集積回路装置を含む液晶表示装置は、複数の薄膜トランジスタと、それぞれの前記薄膜トランジスタのゲート電極に連結される複数のゲート線、およびそれぞれの前記薄膜トランジスタのソース電極に連結される複数のデータ線を含む液晶パネルと、ゲート駆動部及びデータ駆動集積回路装置を駆動するための信号を生成して、前記データ駆動集積回路装置に差動ガンマデータを提供するタイミング制御部と、前記タイミング制御部から伝えられる差動ガンマデータをアナログ電圧値に変換して前記液晶パネルのデータ線に印加するデータ駆動集積回路装置と、を含む。
【００１２】
その他実施形態の具体的な事項は詳細な説明及び図面に含まれている。
【発明の効果】
【００１３】
上述したように、本発明の一実施形態によるデータ駆動集積回路装置とこれを含む液晶表示装置及び印刷回路基板が実装された液晶表示装置は、メモリー部の所定領域に差動ガンマデータを保存して、これをそれぞれのデータ駆動集積回路装置に伝送することによって別途の階調電圧生成部がなくても液晶表示装置の駆動が可能であり、これにより液晶表示装置の製造費用を減らすことができる。
【００１４】
また、データ駆動集積回路装置を具現するとき、抵抗段及びＯＰアンプを使わずに、デコーダを追加してデータ駆動集積回路装置を構成することによって回路構成が容易にでき、また、抵抗偏差によるガンマ電圧の変動を防止することができる。さらに、印刷回路基板を製作するとき、印刷回路基板の大きさを小さくすることができる。
【発明を実施するための最良の形態】
【００１５】
明細書全体にかけて同一参照符号は同一構成要素を指称する。
【００１６】
以下、添付した図面を参照して本発明の実施形態による液晶表示装置に関して詳細に説明する。
【００１７】
図１は、本発明の一実施形態による液晶表示装置のブロック図である。
【００１８】
図１に示したように、本発明の一実施形態による液晶表示装置は液晶パネル１００、駆動電圧生成部２００、ゲート駆動部３００、データ駆動部４００、およびタイミング制御部５００を含む。
【００１９】
液晶パネル１００は、等価回路としてみると、複数の表示信号線Ｇ１―Ｇｎ，Ｄ１―Ｄｍに連結し、マトリックス（ｍａｔｒｉｘ）状で配列された複数の単位画素（ｐｉｘｅｌ）を含む。
【００２０】
ここで、表示信号線Ｇ１―Ｇｎ，Ｄ１―Ｄｍはゲート信号を伝達する複数のゲート線Ｇ１―Ｇｎとデータ信号を伝達するデータ線Ｄ１―Ｄｍとを含む。ゲート線Ｇ１―Ｇｎは行方向にのびていてお互いにほとんど平行し、データ線Ｄ１―Ｄｍは列方向にのびていてお互いにほとんど平行する。
【００２１】
各単位画素は、表示信号線Ｇ１―Ｇｎ，Ｄ１―Ｄｍに連結されたスイッチング素子Ｍ、スイッチング素子Ｍに連結した液晶キャパシタ（ｌｉｑｕｉｄ  ｃｒｙｓｔａｌ  ｃａｐａｃｉｔｏｒ）Ｃｌｃ、及び維持キャパシタ（ｓｔｏｒａｇｅ  ｃａｐａｃｉｔｏｒ）Ｃｓｔを含む。維持キャパシタＣｓｔは必要によって省略することができる。
【００２２】
スイッチング素子Ｍは、ＴＦＴ基板（図示せず）に具備されており、三端子素子でその制御端子及び入力端子はそれぞれゲート線Ｇ１―Ｇｎ及びデータ線Ｄ１―Ｄｍに連結されており、出力端子は液晶キャパシタＣｌｃ及び維持キャパシタＣｓｔに連結されている。
【００２３】
液晶キャパシタＣｌｃは、ＴＦＴ基板の画素電極とカラーフィルター基板（図示せず）の共通電極とを２端子にしている。また、液晶キャパシタＣｌｃの両電極間の液晶層は誘電体として機能する。画素電極はスイッチング素子Ｍに連結されて、共通電極はカラーフィルター基板の全面に形成されていて共通電圧Ｖｃｏｍの印加を受ける。また、共通電極がＴＦＴ基板に具備される場合もあり、この場合には両電極が両方とも線形または棒型で作られる。
【００２４】
維持キャパシタＣｓｔは、ＴＦＴ基板に具備された別個の信号線と画素電極が重なって形成され、この別個の信号線には共通電圧Ｖｃｏｍ等の決まった電圧が印加される（独立配線方式）。しかし、維持キャパシタＣｓｔは画素電極が絶縁体を媒介にして真上の前段ゲート線と重なって形成されることができる（前段ゲート方式）。
【００２５】
一方、色表示を具現するためには各単位画素が色相を表示することができる必要があり、これは画素電極に対応する領域に赤色、緑色、または青色のカラーフィルターを具備することによって可能である。このとき、カラーフィルターは、カラーフィルター基板の該領域に形成されている場合に限られず、ＴＦＴ基板の画素電極上または画素電極下に形成することもできる。
【００２６】
液晶パネル１００のＴＦＴ基板及びカラーフィルター基板の少なくとも一つの外部面には光を偏光させる偏光子（図示せず）が付着される。
【００２７】
駆動電圧発生回路２００は、複数の駆動電圧を生成する。例えば、駆動電圧発生回路２００は、ゲートオン電圧Ｖｏｎ、ゲートオフ電圧Ｖｏｆｆ、及び共通電圧Ｖｃｏｍを生成する。
【００２８】
ゲート駆動部３００は、液晶パネル１００のゲート線Ｇ１―Ｇｎに連結されて外部からのゲートオン電圧Ｖｏｎとゲートオフ電圧Ｖｏｆｆとの組合せで構成されたゲート信号をゲート線Ｇ１―Ｇｎに印加する。
【００２９】
データ駆動部４００は、液晶パネル１００のデータ線Ｄ１―Ｄｍに連結されており、通常、複数の集積回路で構成される。また、データ駆動部４００は、後述で説明するタイミング制御部５００で提供される複数の差動ガンマデータ（ｄｉｆｆｅｒｅｎｔｉａｌ  ｇａｍｍａ  ｄａｔａ）に基づいて複数の階調電圧を生成して、生成された階調電圧を選択して、データ信号として単位画素に印加する。
【００３０】
タイミング制御部５００は、ゲート駆動部３００及びデータ駆動部４００などの動作を制御する制御信号を生成して、制御信号を該当するゲート駆動部３００及びデータ駆動部４００に提供する。また、タイミング制御部５００は差動ガンマデータＤｇａｍをデータ駆動部４００に提供する。これに関しては、後述で、図３を参照して詳細に説明する。
【００３１】
以下、液晶表示装置の表示動作に関してさらに詳細に説明する。
【００３２】
タイミング制御部５００は、外部のグラフィック制御器（図示せず）から映像信号Ｒ，Ｇ，Ｂ、及び映像信号の表示を制御する入力制御信号、例えば、垂直同期信号Ｖｓｙｎｃと水平同期信号Ｈｓｙｎｃ、メインクロックＭＣＬＫ、データイネーブル信号ＤＥ等の提供を受ける。タイミング制御部５００は、入力制御信号に基づいてゲート制御信号ＣＯＮＴ１及びデータ制御信号ＣＯＮＴ２等を生成して映像信号Ｒ，Ｇ，Ｂを液晶パネル１００の動作条件に合うように適切に処理した後、ゲート制御信号ＣＯＮＴ１をゲート駆動ＩＣ３００に提供してデータ制御信号ＣＯＮＴ２と処理した映像信号Ｒ’，Ｇ’，Ｂ’、差動ガンマデータＤｇａｍをデータ駆動部４００に提供する。
【００３３】
ここで、ゲート制御信号ＣＯＮＴ１は、ゲートオンパルス（ゲートオン電圧区間）の出力開始を指示する垂直同期スタート信号ＳＴＶ、ゲートオンパルスの出力時期を制御するゲートクロック信号ＣＰＶ、及びゲートオンパルスの幅を限定する出力イネーブル信号ＯＥ等を含む。このうち、出力イネーブル信号ＯＥとゲートクロック信号ＣＰＶとは駆動電圧生成部２００に提供する。
【００３４】
データ制御信号ＣＯＮＴ２は、映像データＲ’，Ｇ’，Ｂ’の入力開始を指示する水平同期開始信号ＳＴＨとデータ線Ｄ１―Ｄｍに該データ電圧を印加せしめるロード信号ＬＯＡＤ、共通電圧Ｖｃｏｍに対するデータ電圧の極性（以下「共通電圧に対するデータ電圧の極性」を略して「データ電圧の極性」と称する）を反転させる反転信号ＲＶＳ、及びデータクロック信号ＨＣＬＫ等を含む。
【００３５】
ここで、図示していないが、差動ガンマデータＤｇａｍは、単位画素の透過率と関連した一対のガンマデータで、一つは正極性ガンマデータであって、他の一つは負極性ガンマデータである。正極性及び負極性ガンマデータは、共通電圧Ｖｃｏｍに対してデータの極性が反対である電圧を意味し、反転駆動時に交互して液晶パネル１００にそれぞれ提供する。
【００３６】
データ駆動部４００は、タイミング制御部５００からのデータ制御信号ＣＯＮＴ２に沿って１行の単位画素に対応する映像データＲ’，Ｇ’，Ｂ’を順に入力を受けて、階調電圧のうち各映像データＲ’，Ｇ’，Ｂ’に対応する階調電圧を選択することによって、映像データＲ’，Ｇ’，Ｂ’を該データ電圧に変換する。
【００３７】
ゲート駆動部３００は、タイミング制御部５００からのゲート制御信号ＣＯＮＴ１に沿ってゲートオン電圧Ｖｏｎをゲート線Ｇ１―Ｇｎに印加してこのゲート線Ｇ１―Ｇｎに連結されたスイッチング素子Ｍをターンオンさせる。
【００３８】
一つのゲート線Ｇ１―Ｇｎにゲートオン電圧Ｖｏｎが印加されてこれに連結した１行のスイッチング素子Ｍがターンオンされている間［この期間を‘１Ｈ’または‘１水平周期（ｈｏｒｉｚｏｎｔａｌ  ｐｅｒｉｏｄ）’といって水平同期信号Ｈｓｙｎｃ、データイネーブル信号ＤＥ、ゲートクロックＣＰＶの１周期と同じである］、データ駆動部４００は、各データ電圧を該データ線Ｄ１―Ｄｍに供給する。データ線Ｄ１―Ｄｍに供給されたデータ電圧はターンオンされたスイッチング素子Ｍを介して該単位画素に印加される。
【００３９】
液晶分子は、画素電極と共通電極とが生成する電界の変化によってその配列を変えることにより液晶層を通過する光の偏光が変化する。このような偏光の変化はＴＦＴ基板及びカラーフィルター基板に付着された偏光子によって光の透過率変化で現われる。
【００４０】
このような方式で、１フレーム（ｆｒａｍｅ）間全てのゲート線Ｇ１―Ｇｎに対して順にゲートオン電圧Ｖｏｎを印加して全ての単位画素にデータ電圧を印加する。１フレームが終われば次のフレームが始まって各単位画素に印加されるデータ電圧の極性が前のフレームでの極性と反対になるようにデータ駆動部４００に印加される反転信号ＲＶＳの状態が制御される（フレーム反転）。この時、１フレーム内でも反転信号ＲＶＳの特性によって１データ線を介して流れるデータ電圧の極性が変わったり（ライン反転）、一画素行に印加されるデータ電圧の極性も相異なることができる（ドット反転）。
【００４１】
図２は、本発明の一実施形態によるタイミング制御部からデータ駆動部に差動ガンマデータが伝えられることを示す図面である。図３及び図４は、本発明の一実施形態による差動ガンマデータ伝送方式を示す図面である。
【００４２】
図２に示したように、タイミング制御部５００は、タイミング制御部５００内部のメモリー部（図示せず）に差動ガンマデータＤｇａｍが保存されている。また、差動ガンマデータＤｇａｍは、タイミング制御部５００と別途に分離されたメモリー部（図示せず）に保存されることができる。ここで、メモリー部は、ＥＥＰＲＯＭを用いることが望ましい。そして、差動ガンマデータＤｇａｍは、製造社、製品識別コード、及び基本ディスプレー変数と特性を知らせるモニター情報（Ｅｘｔｅｎｄｅｄ  Ｄｉｓｐｌａｙ  Ｉｄｅｎｔｉｆｉｃａｔｉｏｎ  Ｄａｔａ：ＥＤＩＤ）と共にメモリー部に保存されることができる。
【００４３】
差動ガンマデータＤｇａｍは、クロック信号ＣＬＫに同期されてそれぞれのデータ駆動部４１０，４２０，４３０，４４０，４５０，４６０に伝えられ、５ビット一組（ｐａｉｒ）で正極性及び負極性ガンマデータが共に伝えられる。このとき、差動ガンマデータＤｇａｍは、ＬＶＤＳ（Ｌｏｗ  Ｖｏｌｔａｇｅ  Ｄｉｆｆｅｒｅｎｔｉａｌ  Ｓｉｇｎａｌｉｎｇ）及びＲＳＤＳ（Ｒｅｄｕｃｅｄ  Ｓｗｉｎｇ  Ｄｉｆｆｅｒｅｎｔｉａｌ  Ｓｉｇｎａｌｉｎｇ）方式を用いてデータ駆動部に伝えられる。ここで、データ駆動部の個数は液晶表示装置の解像度と大きさによって変わることができる。
【００４４】
ＬＶＤＳ方式は主に他のシステムから液晶表示装置のＬＣＤモジュールにデータを伝送する場合に使われ、ＲＳＤＳ方式は液晶表示装置内のタイミング制御部から液晶パネルを駆動するデータ駆動部にデータを伝送する場合に使われる。このような差動駆動方式は、極性が反対である正極性データと負極性データとがそれぞれ伝達する方式である。このような方式は、２つの導線の両端の電圧差によってデータを認識する方式であって、２つの導線の両端の電圧差が低くてもデータを容易に認識することができる。そして、差動駆動方式では正極性データ及び負極性データの電磁波の消去（Ｃａｎｃｅｌｉｎｇ）によりＥＭＩ放射を最小化することができ、正極性データ及び負極性データにノイズが発生しても２つの信号の差でデータを認識するのでデータの損失が発生しない。
【００４５】
図３及び図４に示したように、本発明による差動ガンマデータ伝送方式は２データ／クロック伝送方式を用いて一つのクロック周期Ｐ間に２個の差動ガンマデータＧ１，Ｇ６を伝送する。すなわち、クロック信号の上昇エッジ（ｒｉｓｉｎｇ  ｅｄｇｅ）では差動ガンマデータＧ１を伝送して、クロックの下降エッジ（ｆａｌｌｉｎｇ  ｅｄｇｅ）では差動ガンマデータＧ６を伝送する。その結果、ＴＴＬ（ｔｒａｎｓｉｓｔｏｒ−ｔｒａｎｓｉｓｔｏｒ  ｌｏｇｉｃ）信号に比べて速いデータ伝送速度を有するようになって、ＴＴＬデータバスに比べてバスの数を１／２に減らすようになる。また、差動ガンマデータを伝送する電圧の範囲は１．０〜１．２Ｖにすることが望ましい。
【００４６】
また、タイミング制御部５００から提供する差動ガンマデータＤｇａｍは、対称的なパターン（ｓｙｍｍｅｔｒｉｃ  ｐａｔｔｅｒｎ）、または非対称的なパターン（ａｓｙｍｍｅｔｒｉｃ  ｐａｔｔｅｒｎ）でデータ駆動部４００に伝送することができる。これはデータ駆動部４００に差動ガンマデータＤｇａｍを伝送する形態をタイミング制御部５００にプログラミングすることによって可能である。ここで、通常は、差動ガンマデータＤｇａｍを対称的なパターンで伝送して、液晶パネルに発生するキックバック電圧（ｋｉｃｋ  ｂａｃｋ  ｖｏｌｔａｇｅ）及び残像を考慮した場合には差動ガンマデータＤｇａｍを非対称的なパターンで伝送することができる。ここで、対称的なパターンは、たとえば、正極性及び負極性ガンマデータが同時に伝送されるものであって、非対称的なパターンは、たとえば、正極性または負極性ガンマデータが単独で伝送され、または正極性および負極性ガンマデータが同時に伝送されるものである。
【００４７】
図３に示すように、差動ガンマデータＤｇａｍを対称的なパターンでデータ駆動部４００に伝送する場合、例えば、５ビットを用いて正極性及び負極性ガンマデータＧ１，Ｇ６を共にデータ駆動部４００に伝達することができる。また、図４に示すように、差動ガンマデータＤｇａｍを非対称的なパターンでデータ駆動部４００に伝送する場合、例えば、７ビットを用いて正極性ガンマデータＧ１，Ｇ２または負極性差動ガンマデータＧ６，Ｇ７を単独でデータ駆動部４００に伝達し、または正極性ガンマデータＧ３及び負極性差動ガンマデータＧ８を共にデータ駆動部４００に伝達することができる。ここで、差動ガンマデータはＧ１〜Ｇ１０を用いており、Ｇ１、Ｇ２、Ｇ３、Ｇ４、Ｇ５は正極性ガンマデータを、Ｇ６、Ｇ７、Ｇ８、Ｇ９、Ｇ１０は負極性ガンマデータをそれぞれ示す。
【００４８】
図５は、本発明の一実施形態によるデータ駆動集積回路装置を示すブロック図である。
【００４９】
図５に示したように、本発明の一実施形態によるデータ駆動集積回路装置はタイミング制御部５００から伝えられる差動ガンマデータＤｇａｍをデコーディングするガンマデコーディング部４０２とガンマデコーディング部４０２にそれぞれ連結されている複数のデジタルアナログ変換器ＤＡＣとを含む変換部４０４、そして各デジタルアナログ変換器ＤＡＣに連結されているバッファー部４０６を含む。
【００５０】
ガンマデコーディング部４０２は、複数個の比較器ＣＯＭで構成されて、相互に対応する正極性ガンマデータＤｇａｍｐ及び負極性ガンマデータＤｇａｍｎと基準電圧Ｖｒｅｆを入力に受けて最終入力された順序通りにデコーディングされた差動ガンマデータを出力する。例えば、ガンマデコーディング部４０２に入力された差動ガンマデータが５ビットといえば、ガンマデコーティング部４０２はデコーディングされた差動ガンマデータを順序通りＧ５からＧ１まで出力する。この時、基準電圧Ｖｒｅｆはアナログ電圧値を精密に調節する役割を果たし、駆動電圧ＡＶＤＤの１／２に設定される。例えば、ガンマデコーディング部４０２から最初に出力される差動ガンマデータが７．８Ｖならば、この場合、基準電圧は３．９Ｖに設定される。ここで、基準電圧Ｖｒｅｆはデータ駆動集積回路装置の内部抵抗で具現されることができる。
【００５１】
各デジタル／アナログ変換器ＤＡＣとバッファー（ＢＵＦ）はガンマデコーディング部４０２から伝えられるデジタルデータをアナログ電圧値に変換及び増幅して出力する。このとき、バッファー（ＢＵＦ）は電圧フォロワ（Ｖｏｌｔａｇｅ  Ｆｏｌｌｏｗｅｒ）で形成することができる。ここでは、正極性及び負極性のアナログ電圧をそれぞれ５個ずつ、合わせて１０個を生成することを例に挙げて説明しており、入力される差動ガンマデータＤｇａｍ等によって生成されるアナログ電圧値の数はこれと異なる場合がある。
【００５２】
以上、添付した図面を参照して本発明の実施形態を説明したが、本発明の属する技術分野における通常の知識を有する者は、本発明がその技術的思想や必須な特徴を変更しなくても他の具体的な形態で実施できるということを理解することができる。それゆえ上述した実施形態は全ての面で例示的なものであって限定的なものでないことに理解しなければならない。
【産業上の利用可能性】
【００５３】
本発明はデータ駆動集積回路装置とこれを含む液晶表示装置に適用されることである。
【図面の簡単な説明】
【００５４】
【図１】本発明の一実施形態による液晶表示装置のブロック図である。
【図２】本発明の一実施形態によるタイミング制御部からデータ駆動部に差動ガンマデータが伝えられることを示す図面である。
【図３】本発明の一実施形態による差動ガンマデータ伝送方式を示す図面である。
【図４】本発明の位置実施形態による作動ガンマデータ伝送方式を示す図面である。
【図５】本発明の一実施形態によるデータ駆動集積回路装置を示すブロック図である。
【符号の説明】
【００５５】
１００    液晶パネル、
２００    駆動電圧生成部、
３００    ゲート駆動部、
４００    データ駆動部、
５００    タイミング制御部。
【図１】
2007156419.tif 000003
【図２】
2007156419.tif 000004
【図３】
2007156419.tif 000005
【図４】
2007156419.tif 000006
【図５】
2007156419.tif 000007